(57)【要約】【目的】送信側携帯電話３から受信側携帯電話７に画像データを送信するときの時間を短縮する。【構成】受信側携帯電話７の表示装置８に表示できる画像サイズ等の携帯電話情報が送信側携帯電話３において得られる。送信側携帯電話３において，携帯電話情報にもとづいて，受信側携帯電話７の表示装置８に表示できる程度のデータ量に画像データが減少させられる。データ量が減少した画像データが送信側携帯電話３からメール・サーバ６を介して受信側携帯電話７に送信される。送信側携帯電話３から送信される画像データのデータ量は減少させられているので，送信時間が短縮する【選択図】　図１
2004135160.tif 000002
【特許請求の範囲】
【請求項１】
表示装置を備えた受信用携帯型画像データ通信装置に画像データを送信する送信用携帯型画像データ通信装置において，
上記受信用携帯型通信装置の表示装置の表示情報を有しているかどうかを判定する判定手段，
上記判定手段により上記表示情報を有していると判定されたことに応じて，上記表示情報にもとづいて上記受信用携帯型画像データ通信装置の上記表示装置に表示できるように上記受信用携帯型画像データ通信装置に送信すべき画像データについて画像サイズ，画像色数，画像データ形式等の画像調整をする画像調整手段，および
上記画像調整手段により画像調整された画像データを上記受信用携帯型画像データ通信装置に送信する画像データ送信手段，
を備えた送信用携帯型画像データ通信装置。
【請求項２】
上記判定手段により，上記表示情報を有していないと判定されたことに応じて，上記表示情報を有している表示情報サーバに，表示情報送信指令を送信する指令送信手段をさらに備え，
上記画像調整手段が，
上記指令送信手段からの表示情報送信指令に応答して上記表示情報サーバから送信される表示情報を表すデータにもとづいて，上記受信用携帯型通信装置の上記表示装置に表示できるように上記受信用携帯型画像データ通信装置に送信すべき画像データについて画像サイズ，画像色数，画像データ形式等の画像調整をするものである，
請求項１に記載の送信用携帯型画像データ通信装置。
【請求項３】
画像を表示する表示装置，
送信用携帯型画像データ通信装置から送信され，かつ上記表示装置に表示できるように画像調整済みの画像データを受信する画像データ受信手段，
上記画像データ受信手段によって受信された画像データによって表される画像を表示するように上記表示装置を制御する表示制御手段，および
上記受信手段によって受信された画像調整済みの画像データに対応した他の種類の画像データの送信先および送信指令を上記送信用携帯型画像データ通信装置に送信する指令送信手段，
を備えた受信用携帯型画像データ通信装置。
【請求項４】
表示装置を備えた受信用携帯型画像データ通信装置に画像データを送信する送信用携帯型画像データ通信装置において，
上記受信用携帯型画像データ通信装置の表示装置の表示情報を有しているかどうかを判定し，
上記表示情報を有していると判定されたことに応じて，上記表示情報にもとづいて上記受信用携帯型通信装置の上記表示装置に表示できるように上記受信用携帯型通信装置に送信すべき画像データについて画像サイズ，画像色数，画像データ形式等の画像調整をし，
画像調整された画像データを上記受信用携帯型画像データ通信装置に送信する，
送信用携帯型画像データ通信装置の制御方法。
【請求項５】
画像を表示する表示装置を備えた受信用携帯型画像データ通信装置において，
送信用携帯型画像データ通信装置から送信され，かつ上記表示装置に表示できるように画像調整済みの画像データを受信し，
受信した画像データによって表される画像を表示するように上記表示装置を制御し，
受信した画像調整済みの画像データに対応した他の種類の画像データの送信先および送信指令を上記送信用携帯型画像データ通信装置に送信する，
受信用携帯型画像データ通信装置の制御方法。
【発明の詳細な説明】
【０００１】
【技術分野】
この発明は，送信用携帯型画像データ通信装置および受信用携帯型画像データ通信装置ならびにそれらの制御方法に関する。
【０００２】
【発明の背景】
現在，携帯電話を用いて画像データの送受信ができるようになってきている。ディジタル・カメラがついている携帯電話であれば，ディジタル・カメラを用いて撮影された画像を表す画像データを，携帯電話を用いて他の携帯電話に送信することができる。画像データを携帯電話において受信すると，携帯電話に設けられている表示画面上に，受信した画像データによって表される画像が表示される。
【０００３】
携帯電話に設けられている表示画面のサイズは小さいことが多い。高画質の画像データを送信しても高画質の画像を表示することはできない。このために画像変換サーバを用いて，受信する携帯電話の表示画面に表示可能な画像のデータ量となるように縮小することかがある（たとえば，特許文献１．）。しかしながら，送信側の携帯電話においては，データ量の大きな画像データを画像変換サーバに送信するので，送信時間が長時間となってしまうことがある。
【０００４】
【特許文献１】
特開２００２−７７５０５号公報
【０００５】
【発明の開示】
この発明は，画像データを送信するときの時間を短縮することを目的とする。
【０００６】
第１の発明は，表示装置を備えた受信用携帯型画像データ通信装置（受信側携帯電話）に画像データを送信する送信用携帯型画像データ通信装置（送信側携帯電話）において，上記受信用携帯型通信装置の表示装置の表示情報を有しているかどうかを判定する判定手段，上記判定手段により上記表示情報を有していると判定されたことに応じて，上記表示情報にもとづいて上記受信用携帯型画像データ通信装置の上記表示装置に表示できるように上記受信用携帯型画像データ通信装置に送信すべき画像データについて画像サイズ，画像色数，画像データ形式等の画像調整をする画像調整手段，および上記画像調整手段により画像調整された画像データを上記受信用携帯型画像データ通信装置に送信する画像データ送信手段を備えていることを特徴とする。
【０００７】
第１の発明は，上記送信用携帯型画像データ通信装置の制御方法も提供している。すなわち，この方法は，表示装置を備えた受信用携帯型画像データ通信装置に画像データを送信する送信用携帯型画像データ通信装置において，上記受信用携帯型通信装置の表示装置の表示情報を有しているかどうかを判定し，上記表示情報を有していると判定されたことに応じて，上記表示情報にもとづいて上記受信用携帯型画像データ通信装置の上記表示装置に表示できるように上記受信用携帯型画像データ通信装置に送信すべき画像データについて画像サイズ，画像色数，画像データ形式等の画像調整をし，画像調整された画像データを上記受信用携帯型画像データ通信装置に送信するものである。
【０００８】
第１の発明によると，上記送信用携帯型画像データ通信装置から上記受信用携帯型画像データ通信装置に画像データを送信する場合に，上記送信用携帯型画像データ通信装置が，上記受信用携帯型画像データ通信装置の表示装置の表示情報（表示サイズ，表示色数，表示できる画像フォーマットなど）を有しているかどうかが判定される。有していると判定されると，表示情報にもとづいて受信用携帯型画像データ通信装置の上記表示装置に表示できるように，画像調整が行われる。画像調整された画像データが送信用携帯型画像データ通信装置から上記受信用携帯型画像データ通信装置に送信される。
【０００９】
上記受信用携帯型画像データ通信装置の表示装置に表示できる画像のデータ量に画像調整されているので，上記送信用携帯型画像データ通信装置から送信される画像データのデータ量は少なくなっていることが多い。送信時間を短縮できる。
【００１０】
上記判定手段により，上記表示情報を有していないと判定されたことに応じて，上記表示情報を有している表示情報サーバに，表示情報送信指令を送信する指令送信手段をさらに備えるようにしてもよい。この場合，上記画像調整手段は，上記指令送信手段からの表示情報送信指令に応答して上記表示情報サーバから送信される表示情報を表すデータにもとづいて，上記受信用携帯型通信装置の上記表示装置に表示できるように上記受信用携帯型画像データ通信装置に送信すべき画像データについて画像サイズ，画像色数，画像データ形式等の画像調整をするものとなろう。
【００１１】
第２の発明は，上記送信用携帯型画像データ通信装置から送信される画像調整済みの画像データを受信する受信用携帯型画像データ通信装置についてのものである。第２の発明は，画像を表示する表示装置，送信用携帯型画像データ通信装置から送信され，かつ上記表示装置に表示できるように画像調整済みの画像データを受信する画像データ受信手段，上記画像データ受信手段によって受信された画像データによって表される画像を表示するように上記表示装置を制御する表示制御手段，および上記受信手段によって受信された画像調整済みの画像データに対応した他の種類の画像データの送信先および送信指令を上記送信用携帯型画像データ通信装置に送信する指令送信手段を備えていることを特徴とする。
【００１２】
第２の発明は，上記受信用携帯型画像データ通信装置に適した制御方法も提供している。すなわち，この方法は，画像を表示する表示装置を備えた受信用携帯型画像データ通信装置において，送信用携帯型画像データ通信装置から送信され，かつ上記表示装置に表示できるように画像調整済みの画像データを受信し，受信した画像データによって表される画像を表示するように上記表示装置を制御し，受信した画像調整済みの画像データに対応した他の種類の画像データの送信先および送信指令を上記送信用携帯型画像データ通信装置に送信するものである。
【００１３】
第２の発明によると，上述のように送信用携帯型画像データ通信装置において画像データの画像調整が行われる。画像調整された画像データが送信用携帯型画像データ通信装置から受信用携帯型画像データ通信装置に送信される。画像調整された画像データが受信用携帯型画像データ通信装置において受信されると，受信された画像データによって表される画像が表示装置に表示される。受信用携帯型画像データ通信装置のユーザが，表示された画像を見ることにより，高画質等の画像が必要と思うと，その高画質等の画像を表す画像データの送信先および送信指令が入力される。入力された送信先および送信指令が上記受信用携帯型画像データ通信装置から上記送信用携帯型画像データ通信装置に送信される。
【００１４】
上記送信用携帯型画像データ通信装置において送信先および送信指令が受信されると，画像調整済みの画像データに対応した他の種類の画像データ（データ量の多い高画質の画像データ，色数の多い画像データ，フォーマットの異なる画像データなど）が，指示された送信先（受信用携帯型画像データ通信装置，他の画像サーバ，プリンタ・サーバなど）に送信される。受信用携帯型画像データ通信装置のユーザは，必要なときに他の種類の画像データを得ることができるようになる。
【００１５】
【実施例の説明】
図１は，この発明の実施例を示すもので，携帯電話システムの概要を示している。
【００１６】
携帯電話システムには，インターネットを介して互いに通信可能なパーソナル・コンピュータ１，プリンタ・サーバ２，送信側携帯電話３，情報サーバ５，メール・サーバ６および受信側携帯電話７が含まれている。
【００１７】
送信側携帯電話３および受信側携帯電話７は，それぞれ画像を表示する表示装置４および８が設けられている。送信側携帯電話３からメール・サーバ６に画像データが送信される。メール・サーバ６において，受信した画像データが特定のＵＲＬ（ｕｎｉｆｏｒｍ　ｒｅｓｏｕｒｃｅ　ｌｏｃａｔｏｒ）で指定される記憶領域に記憶される。受信側携帯電話７から，その特定のＵＲＬが指定されることにより，メール・サーバ６から受信側携帯電話７に画像データが送信される。
【００１８】
この実施例においては，受信側携帯電話７の表示装置８に画像が表示できるように，データ量の減少処理等の画像調整が送信側携帯電話３において行われる。画像調整された画像データが上述のようにして送信側携帯電話３からメール・サーバ６を介して受信側携帯電話７に送信される。データ量が少ない画像データが送信側携帯電話３から送信されるので，送信時間を短縮できる。より詳しくは，以下の説明によって明らかとなろう。
【００１９】
この実施例においては，わかりやすくするために送信側携帯電話３と受信側携帯電話７とに分けているが，いずれの携帯電話３および７も画像データ等を送信のみまたは受信のみする電話ではなく画像データ等を送受信できるのはいうまでもない。
【００２０】
図２は，送信側携帯電話３の電気的構成を示すブロック図である。受信側携帯電話７の構成も同様である。
【００２１】
送信側携帯電話３の全体の動作は，制御装置１０によって統括される。
【００２２】
上述したように表示装置４は，制御装置１０に接続されている。また，操作キー１５も制御装置１０に接続されている。
【００２３】
また，送信側携帯電話３には，記憶装置１６も接続されている。記憶装置１６には，携帯電話のアドレスを表すアドレス・データなどを格納しているアドレス帳（アドレス・テーブル）が記憶されている。
【００２４】
制御装置１０には，アンテナ１１が接続されている無線回路１２が接続されている。マイクロフォン（図示略）から入力した音声は，音声データに変換されて，無線回路１２を介してアンテナ１１に与えられる。アンテナ１１から音声データが他の携帯電話に送信される。また，アンテナ１１によって受信された音声データは，無線回路１２を介して制御装置１０に入力し，スピーカ（図示略）に与えられる。スピーカから音声が出力される。
【００２５】
図３は，送信側携帯電話３のアドレス帳（アドレス・テーブル）の内容を示している。
【００２６】
アドレス帳には，通信相手の携帯電話のメール・アドレス，通信相手の携帯電話の表示装置の表示画面サイズ（ＬＣＤ（ｌｉｑｕｉｄ　ｃｒｙｓｔａｌ　ｄｅｖｉｃｅ）画面サイズ），通信相手の携帯電話の表示装置の表示画面の発色数（ＬＣＤ発色数），通信相手の携帯電話の表示装置に表示できる画像データの表示データ形式，通信相手の携帯電話が受信する画像データの容量制限などのデータが通信相手の氏名（通信相手の携帯電話の持ち主）に対応して格納されている。このアドレス帳のデータは，送信側携帯電話３の記憶装置１６に記憶されているのはいうまでもない。
【００２７】
図４は，情報サーバ５に記憶されている携帯電話情報を示している。
【００２８】
情報サーバ５には，多数の携帯電話についての情報（携帯電話情報）が格納されている。携帯電話情報には，上述した携帯電話のメール・アドレス，ＬＣＤ画面サイズ，ＬＣＤ発色数，表示データ形式および画像容量制限の他に，着信拒否アドレス，今月の通信費などをそれぞれ表すデータが格納されている。携帯電話情報も氏名に対応して記憶されている。
【００２９】
以下，送信側携帯電話３から受信側携帯電話７に画像データを送信する場合の処理について述べる。送信側携帯電話３から受信側携帯電話７に画像データが送信される場合には，まず，送信側携帯電話３から情報サーバ５に送信すべき画像データが送信され，記憶される。受信側携帯電話７から情報サーバ５に画像データの送信要求があったことに応じて，情報サーバ５に記憶されている画像データが情報サーバ５から受信側携帯電話７に送信される。
【００３０】
図５から図７は，送信側携帯電話３から情報サーバ５に画像データを送信する処理手順を示している。
【００３１】
図５は，送信側携帯電話３の処理手順を示すフローチャートである。
【００３２】
送信側携帯電話３のアドレス・テーブルに格納されているデータが読み取られ，表示装置４の表示画面上にアドレス帳が表示される。表示されたアドレス帳の中から，送信先のアドレス（この場合，受信側携帯電話７のアドレス）が選択される。また，送信すべき画像も選択される（ステップ２１）。
【００３３】
アドレス帳に送信先の携帯電話情報が無ければ（ステップ２２でＮＯ），送信先アドレス・データが送信側携帯電話３からメール・サーバ６に送信される（ステップ２３）。メール・サーバ６に記憶されている携帯電話情報から，送信先の携帯電話（受信側携帯電話７）の携帯電話情報が読み取られる。読み取られた受信側携帯電話７の携帯電話情報がメール・サーバ６から送信側携帯電話３に送信される（携帯電話情報取得処理）（ステップ２４）。この携帯電話情報取得処理について詳しくは，後述する。得られた携帯電話情報が，送信側携帯電話３のアドレス帳に登録される（ステップ２５）。
【００３４】
送信側携帯電話３において，受信側携帯電話７の携帯電話情報が得られると，その携帯電話情報にもとづいて送信すべき画像の画像変換処理が行われる（ステップ２６）。すなわち，受信側携帯電話７の表示装置８の表示画面に表示できるように，画像データのデータ量の減少，色数の減少，データ形式の変換などの処理が行われる。画像変換された画像データおよび送信先アドレスが送信側携帯電話３からメール・サーバ６に送信される（ステップ２７）。
【００３５】
アドレス帳に送信先の携帯電話情報があった場合には（ステップ２２でＹＥＳ），ステップ２３から２５の処理はスキップされる。
【００３６】
図６は，メール・サーバ６の処理手順を示すフローチャートである。
【００３７】
上述のようにして送信側携帯電話３から送信された送信先アドレスおよび画像変換された画像データがメール・サーバ６において受信される（ステップ３１）。メール・サーバ６においてＵＲＬが生成される。生成されたＵＲＬによって特定されるメモリの記憶領域に，受信した画像変換済の画像データが記憶される（ステップ３２）。
【００３８】
その後，受信した送信先アドレスをメール・アドレスにもつ携帯電話（受信側携帯電話７）に生成したＵＲＬを示すデータが送信される（ステップ３３）。受信側携帯電話７のユーザは，送信側携帯電話３から送信された画像データの記憶場所を知ることができる。
【００３９】
図７は，携帯電話情報取得処理手順（図５ステップ２４）を示すフローチャートである。
【００４０】
送信側携帯電話３から送信された送信先アドレスがメール・サーバ６において受信されると，その受信された送信アドレスが情報サーバ５に送信される（ステップ４１）。
【００４１】
メール・サーバ６から送信された送信先アドレスが情報サーバ５において受信されると，携帯電話情報テーブル（図４参照）に記憶されている携帯電話情報のうち，受信した送信先アドレスに対応するメール・アドレスについての携帯電話情報が読み取られる（ステップ５１）。読み取られた携帯電話情報が情報サーバ５からメール・サーバ６に送信される（ステップ５２）。
【００４２】
情報サーバ５から送信された携帯電話情報がメール・サーバ６において受信される。すると，その受信された携帯電話情報がメール・サーバ６から送信側携帯電話３に送信される（ステップ４２）。このようにして得られた携帯電話情報が，上述のように送信側携帯電話３に登録される。
【００４３】
図８から図１０は，受信側携帯電話７において，画像データを得るときの処理手順を示すフローチャートである。図８は，受信側携帯電話７の処理手順を示し，図９は，メール・サーバ６の処理手順を示し，図１０は，送信側携帯電話３の処理手順を示している。
【００４４】
上述のように，メール・サーバ６から送信されたＵＲＬが受信側携帯電話７において入力される（ステップ６１）。入力されたＵＲＬを示すデータが受信側携帯電話７からメール・サーバ６に送信される（ステップ６２）。
【００４５】
受信側携帯電話７から送信されたＵＲＬデータがメール・サーバ６において受信される。すると，その受信されたＵＲＬデータによって示されるＵＲＬに記憶されている画像データ（上述のように受信側携帯電話７の表示装置８に表示できるように画像変換された画像データ）が読み出され，受信側携帯電話７に送信される（ステップ７１）。
【００４６】
メール・サーバ６から送信された画像データが受信側携帯電話７において受信されることにより（ステップ６３），受信された画像データによって表される画像が表示装置８の表示画面上に表示される（ステップ６４）。表示された画像は，上述したように，送信側携帯電話３において画像変換されたものである。
【００４７】
受信側携帯電話７のユーザは，表示装置８の表示画面に表示された画像を見ることにより，画像変換される以前の画像（元画像という）が必要かどうかを判断できる。また，この実施例においては元画像を表す元画像データを受信側携帯電話７に送信するだけでなく，元画像データをパーソナル・コンピュータ１またはプリンタ・サーバ２に転送することもできる。元画像の要求または転送要求が必要であれば（ステップ６５でＹＥＳ），元画像の要求または転送要求が受信側携帯電話７に入力される。入力された元画像の要求または転送要求が受信側携帯電話７からメール・サーバ６に送信される（ステップ６６）。
【００４８】
受信側携帯電話７からの元画像の要求または転送要求がメール・サーバ６において受信されると，その受信した元画像の要求または転送要求は，送信側携帯電話３に送信される（ステップ７２）。
【００４９】
メール・サーバ６から送信された元画像の要求または転送要求が送信側携帯電話３において受信されると（ステップ８１でＹＥＳ），送信側携帯電話３において記憶されている元画像データが読み取られる。読み取られた元画像データが送信側携帯電話３からメール・サーバ６に送信される（ステップ８２）。
【００５０】
送信側携帯電話３から送信された元データは，メール・サーバ６において受信される（ステップ２３）。受信側携帯電話７からの指令が転送指令であれば（ステップ７４でＹＥＳ），パーソナル・コンピュータ１への転送指令かプリンタ・サーバ２への転送指令かが判断される（ステップ７５）。パーソナル・コンピュータ１への転送指令であれば，送信側携帯電話３から送信された元画像データは，パーソナル・コンピュータ１に転送させられる（ステップ７６）。プリンタ・サーバ２への転送指令であれば，送信側携帯電話３から送信された元画像データはプリンタ・サーバ２に転送させられる（ステップ７７）。
【００５１】
元画像データの転送指令で無ければ（ステップ７４でＮＯ），元画像の送信要求かどうかが判断される（ステップ７８）。元画像の送信要求であれば（ステップ７８でＹＥＳ），その元画像データの記憶領域を示すＵＲＬが生成され，生成されたＵＲＬによって特定される記憶領域に元画像データが記憶させられる（ステップ８０）。元画像データが記憶させられた記憶領域を特定するＵＲＬを示すデータがメール・サーバ６から受信側携帯電話７に送信される（ステップ８０）。
【００５２】
メール・サーバ６から送信されたＵＲＬデータが受信側携帯電話７において受信される（ステップ６７）。受信側携帯電話７のユーザは，上述のようにして受信したＵＲＬデータに記憶されている元画像データの送信要求をメール・サーバ６に送信することにより，元画像データがメール・サーバ６から受信側携帯電話７に送信されることとなる。
【００５３】
上述した実施例においては，受信側携帯電話７から送信側携帯電話３に元画像データの送信要求を行っているが，データ量を指定して，指定したデータ量の画像データの送信要求を行うようにしてもよい。データ量の指定があった場合には，指定されたデータ量となるように送信側携帯電話３において画像データの調整が行われることとなろう。
【図面の簡単な説明】
【図１】携帯電話システムの概要を示している。
【図２】携帯電話の電気的構成を示すブロック図である。
【図３】アドレス帳（アドレス・テーブル）を示している。
【図４】携帯電話情報テーブルを示している。
【図５】送信側携帯電話の処理手順を示すフローチャートである。
【図６】メール・サーバの処理手順を示すフローチャートである。
【図７】携帯電話情報取得処理手順を示すフローチャートである。
【図８】受信側携帯電話の処理手順を示すフローチャートである。
【図９】メール・サーバの処理手順を示すフローチャートである。
【図１０】送信側携帯電話の処理手順を示すフローチャートである。
【符号の説明】
１　パーソナル・コンピュータ
２　プリンタ・サーバ
３　送信側携帯電話
４，８　表示装置
５　情報サーバ
６　メール・サーバ
７　受信側携帯電話
１０　制御装置
１１　アンテナ
１２　無線回路
【図１】
2004135160.tif 000003
【図２】
2004135160.tif 000004
【図３】
2004135160.tif 000005
【図４】
2004135160.tif 000006
【図５】
2004135160.tif 000007
【図６】
2004135160.tif 000008
【図７】
2004135160.tif 000009
【図８】
2004135160.tif 000010
【図９】
2004135160.tif 000011
【図１０】
2004135160.tif 000012